(57)【要約】【課題】  資料に対して光を照射する照明部の小型化を図り、かつ照明ムラを低減することができる資料提示装置を提供する。【解決手段】  資料提示装置は、資料上を走査照明する小型の照明部を備える。照明部は、首振りをして資料に対して光を走査する。撮像部は、照明部の走査に同期して資料を複数回撮影する（ステップＳ１１）。制御部は、資料の撮影画像の画像データのそれぞれについて、複数の領域に分割し、分割された領域の明るさのレベルを検出する。制御部は、上記撮影画像の画像データから、分割された領域のそれぞれについて、明るさのレベルが所定値以上である領域の画像データを抽出する（ステップＳ１２）。 制御部は、抽出された領域の画像データを互いに合成する画像処理を実行する（ステップＳ１３）。これにより、所望の明るさのレベルを有し、かつ明るさのムラが低減された資料の画像データが得られる。【選択図】        図３
2005176093.tif 000002
【特許請求の範囲】
【請求項１】
資料が載置される資料載置面を有する資料載置手段と、
前記資料載置面に載置された前記資料に対して光を走査する照明手段と、
前記照明手段の走査に同期して前記資料を撮影する撮像手段と、
前記撮像手段により撮影された前記資料の撮影画像の画像データを順次記憶する記憶手段と、
前記照明手段の走査を制御する制御手段とを備え、
前記制御手段は、前記照明手段で走査しながら前記撮影画像の画像データを順次前記記憶手段に取り込み、前記記憶手段に取り込まれた前記撮影画像の画像データのそれぞれについて複数の領域に分割して該領域の明るさのレベルを検出し、前記撮影画像の画像データのそれぞれから該明るさのレベルが所定値以上である領域の画像データを抽出し、抽出された画像データを互いに合成することを特徴とする資料提示装置。
【請求項２】
前記照明手段は、上下左右方向に首振りをすることにより前記資料に対して光を走査することを特徴とする請求項１に記載の資料提示装置。
【請求項３】
資料が載置される資料載置面を有する資料載置手段と、
前記資料載置面に載置された前記資料の全体に対して略均一に光を照射する照明手段と、
前記資料を所定時間内に複数回撮影する撮像手段と、
前記撮像手段により撮影された撮影画像の画像データを順次記憶する記憶手段と、
前記複数の撮影画像のそれぞれに撮影された前記資料の同一位置を重ねるようにして、前記記憶手段に記憶された前記撮影画像の画像データを互いに合成する制御手段とを備えたことを特徴とする資料提示装置。
【請求項４】
前記制御手段は、該制御手段により合成された画像データにおいて所定の明るさのレベルに達していない領域があるか否かを調べ、前記所定の明るさのレベルに達していない領域がある場合に前記照明手段に光を該領域に向けて照射させ、前記撮像手段は、該領域に光が照射された前記資料を撮影し、前記制御手段は、該撮影された前記資料の撮影画像の画像データおよび前記制御手段により合成された画像の画像データを、これら画像データのそれぞれに撮影された前記資料の同一位置を重ねるようにして互いに合成することを特徴とする請求項３に記載の資料提示装置。
【請求項５】
資料が載置される資料載置面を有する資料載置手段と、
前記資料載置面に載置された資料に対して光を照射する照明手段と、
前記資料載置面に載置された資料に対してストロボ光を発光するストロボ手段と、
前記ストロボ手段の発光に同期して前記資料を撮影する撮像手段と、
前記ストロボ手段を制御する制御手段とを備えたことを特徴とする資料提示装置。
【請求項６】
前記ストロボ手段は前記資料に対して間欠的にストロボ光を発光し、前記撮像手段は、前記ストロボ手段が発光する毎に前記資料を撮影し、前記制御手段は、該撮影された前記資料の撮影画像の画像データおよび該撮影画像の直前に撮影された前記資料の撮影画像の画像データのそれぞれに撮影された前記資料の同一位置を重ねるようにして合成し、この合成された画像データにおける所定の箇所の明るさのレベルを検出し、この検出された明るさのレベルが所定値に達したとき、前記ストロボ手段によるストロボ光の発光を停止することを特徴とする請求項５に記載の資料提示装置。
【請求項７】
前記箇所は、前記撮像手段により撮影された撮影画像の画像データの所定部分における複数の画素から構成され、前記制御手段は、該画素の画像データの明るさのレベルを平均することにより、前記箇所の明るさのレベルを検出することを特徴とする請求項６に記載の資料提示装置。
【請求項８】
前記ストロボ手段は拡散板を備え、この拡散板を通して前記ストロボ光を前記資料に対して発光することを特徴とする請求項５〜７のいずれかに記載の資料提示装置。
【請求項９】
前記制御手段は、前記ストロボ手段によりストロボ光が発光されたときに得られた前記資料の画像の画像データにおいて所定の明るさのレベルに達していない領域があるか否かを調べ、前記所定の明るさのレベルに達していない領域がある場合に前記照明手段に光を該領域に向けて照射させ、前記撮像手段は、該領域に光が照射された前記資料を撮影し、前記制御手段は、該撮影された前記資料の撮影画像の画像データおよび前記ストロボ光が発光されたときに得られた画像の画像データを、これら画像データのそれぞれに撮影された前記資料の同一位置を重ねるようにして互いに合成することを特徴とする請求項５〜８のいずれかに記載の資料提示装置。
【請求項１０】
前記撮像手段は、前記ストロボ手段が発光する前に、前記照明手段により光が照射された前記資料を撮影し、前記制御手段は、該撮影された資料の撮影画像において所定の明るさのレベルに達していない領域があるか否かを調べ、前記撮影画像に所定の明るさのレベルに達しない領域がある場合に、前記ストロボ手段は、前記資料に対してストロボ光を発光し、前記撮像手段は該ストロボ光の発光に同期して前記資料を撮影することを特徴とする請求項５〜８のいずれかに記載の資料提示装置。
【請求項１１】
前記照明手段は、ＬＥＤから構成されていることを特徴とする請求項１〜１０のいずれかに記載の資料提示装置。
【発明の詳細な説明】
【技術分野】
【０００１】
本発明は、資料載置台に載置された原稿などの資料を撮像手段で撮影し、撮影された資料の画像をスクリーンなどの表示手段に表示する資料提示装置に係り、特に資料の撮影画像の明るさのレベルを調整する機能を改良した資料提示装置に関する。
【背景技術】
【０００２】
スクリーンに資料の画像を投映し、その画像を参照しながら聴衆に対して資料の内容の説明を行うプレゼンテーションでは、資料の画像をスクリーンに投映するための手段として、近年、ＯＨＰ（オーバーヘッドプロジェクタ）に代わって、資料提示装置が用いられている。
【０００３】
資料提示装置は、たとえば特許文献１に開示されているように、原稿などの資料を載置するための資料載置台と、この資料載置台に載置された資料の画像を撮影するＣＣＤ（Charge Coupled Device）カメラなどの撮像手段を備えている。このような資料提示装置では、資料載置台に載置された原稿が撮像手段で撮影され、その撮影された画像が、資料載置台に接続された液晶プロジェクタによりスクリーンに投影される。
【０００４】
このような資料提示装置は、資料撮影用の照明手段を備えている。照明手段として蛍光灯や白熱灯等の照明器具が用いられ、これら照明器具によって資料載置台に載置された資料に光を照射することにより、撮像手段により撮影される資料の撮影画像において明るさが得られるようにしている。
【０００５】
【特許文献１】特許第３２０１７０７号公報（第６項、図１）
【発明の開示】
【発明が解決しようとする課題】
【０００６】
しかしながら、従来の照明器具は大きかったため、プレゼンテーションにおいて、たとえば資料交換を行うときや、資料に対してペン等を用いて指示を行うときに邪魔になっていた。そこで、近年、小型の照明器具を用いることが提案されている。たとえば、資料載置台に載置された資料を静止画像として撮影し、その静止画像に対してポインタを用いて指示や描画を行い、それを静止画像と合成する資料提示装置には、内蔵型の小型蛍光灯や小型白熱灯を適用することが考えられている。
【０００７】
しかしながら、このような小型の照明器具は照射光量が少なく、資料の上に照度ムラが多く生じるため、これを資料撮影用の照明手段として用いると、資料の撮影画像が暗くなるとともに、そのなかに暗い部分が生じる等して明るさのムラが多くなっていた。その結果、撮影画像の画質が低下していた。
【０００８】
したがって、本発明は、撮影画像の画質を低下させることなく、プレゼンテーションにおいて邪魔にならないよう照明手段の小型化を図ることができる資料提示装置を提供することを目的としている。
【課題を解決するための手段】
【０００９】
本発明の第１の資料提示装置は、資料が載置される資料載置面を有する資料載置手段と、資料載置面に載置された前記資料に対して光を走査する照明手段と、照明手段の走査に同期して資料を撮影する撮像手段と、撮像手段により撮影された資料の撮影画像の画像データを順次記憶する記憶手段と、照明手段の走査を制御する制御手段とを備え、制御手段は、照明手段で走査しながら撮影画像の画像データを順次記憶手段に取り込み、記憶手段に取り込まれた撮影画像の画像データのそれぞれについて複数の領域に分割して該領域の明るさのレベルを検出し、撮影画像の画像データのそれぞれから該明るさのレベルが所定値以上である領域の画像データを抽出し、抽出された画像データを互いに合成することを特徴としている。
【００１０】
このような本発明の第１の資料提示装置では、照明手段により資料に光が走査され、その光の走査に同期して資料が撮影される。これら撮影された資料の撮影画像の画像データにおける分割された複数の領域のそれぞれについて、複数の撮影画像の画像データのなかから明るさのレベルが所定値以上である画像データが抽出されて互いに合成される。これにより、照明手段から照射される光の大きさや範囲に関係なく、所望の明るさのレベルを有し、かつ明るさのムラが低減された資料の画像を得ることができる。したがって、撮影画像の画質を低下させることなく、プレゼンテーションにおいて、たとえば資料交換を行うときや、資料に対してペン等を用いて指示を行うときに邪魔にならないよう照明手段の小型化を図ることができる。
【００１１】
照明手段は、そこから照射される光の中心が、資料上の左右方向を往復しながら、前方あるいは後方に移動することにより資料を走査するようにするのが好適である。具体的には、照明手段は、上下左右方向に首振りをすることにより資料に対して光を走査する。この場合、照明手段から資料に対して照射される光は、その照明範囲を狭くし、たとえば略スポット照明とするようにしてもよい。
【００１２】
本発明の第２の資料提示装置は、資料が載置される資料載置面を有する資料載置手段と、資料載置面に載置された資料の全体に対して略均一に光を照射する照明手段と、資料を所定時間内に複数回撮影する撮像手段と、撮像手段により撮影された撮影画像の画像データを順次記憶する記憶手段と、複数の撮影画像のそれぞれに撮影された資料の同一位置を重ねるようにして、記憶手段に記憶された撮影画像の画像データを互いに合成する制御手段とを備えたことを特徴としている。
【００１３】
このような本発明の第２の資料提示装置では、資料の全体に対して略均一に光が照射され、略均一に光が照射された資料を所定時間内に複数回撮影される。そして、資料の撮影画像の画像データが、撮影画像のそれぞれに撮影された資料の同一位置を重ねるようにして、互いに合成される。これにより、照明手段から照射される光の大きさや範囲に関係なく、所定の明るさのレベルを有し、かつ明るさのムラが低減された資料の画像を得ることができる。したがって、上記第１の資料提示装置と同様な効果を得ることができる。
【００１４】
本発明の第１および第２の資料提示装置の制御手段は、この制御手段により合成された画像データにおいて所定の明るさのレベルに達していない領域があるか否かを調べ、所定の明るさのレベルに達していない領域がある場合に照明手段に光を該領域に向けて照射させ、撮像手段は、該領域に光が照射された資料を撮影し、制御手段は、該撮影された資料の撮影画像の画像データおよび制御手段により合成された画像の画像データを、これら画像データのそれぞれに撮影された資料の同一位置を重ねるようにして互いに合成するのが好適である。
【００１５】
上記態様では、制御手段により合成された画像データにおいて所定の明るさのレベルに達していない領域がある場合、その領域に光が照射された資料の撮影画像の画像データを、制御手段により合成された画像データに合成するので、照明手段から照射される光の大きさや範囲に関係なく、より明るさのムラが低減された資料の撮影画像を得ることができる。したがって、撮影画像の画質を低下させることなく、プレゼンテーションにおいて邪魔にならないように更に照明手段の小型化を図ることができる。
【００１６】
次に、本発明の第３の資料提示装置は、資料が載置される資料載置面を有する資料載置手段と、資料載置面に載置された資料に対して光を照射する照明手段と、資料載置面に載置された資料に対してストロボ光を発光するストロボ手段と、ストロボ手段の発光に同期して資料を撮影する撮像手段と、ストロボ手段を制御する制御手段とを備えたことを特徴としている。
【００１７】
このような第３の資料提示装置では、資料に対してストロボ光が発光され、ストロボ手段の発光に同期して資料が撮影される。これにより、照明手段から照射される光の大きさや範囲に関係なく、所定の明るさのレベルを有し、かつ明るさのムラが低減された資料の画像を得ることができる。したがって、上記第２の資料提示装置と同様な効果を得ることができる。
【００１８】
ストロボ手段として、資料に対して間欠的にストロボ光を発光するものを用いるのが好適である。このようなストロボ手段を用いた場合、撮像手段は、ストロボ手段が発光する毎に資料を撮影し、制御手段は、撮影された資料の撮影画像およびこの撮影画像の直前に撮影された資料の撮影画像のそれぞれに撮影された資料の同一位置を重ねるようにして合成し、合成された画像データの明るさのレベルを検出し、検出された明るさのレベルが所定値に達したとき、ストロボ手段によるストロボ光の発光を停止する。このようにストロボ光を小さな光量で複数回に分けて発光することにより、聴衆に対する不快感を低減させることができる。
【００１９】
所定箇所は、たとえば前記撮像手段により撮影された撮影画像の画像データの所定部分における複数の画素から構成する。所定部分は、たとえば、撮影画像の画像データの中心部分である。この場合、上記制御手段は、該画素の画像データの明るさのレベルを平均することにより、前記所定箇所の明るさのレベルを検出する。
【００２０】
ストロボ光は資料全体に対して照射するのが好ましい。たとえば、ストロボ手段は拡散板を備え、この拡散板を通してストロボ光を資料に対して発光する。拡散板としては、たとえば、スリガラス状のもの、縦および／または横の直線状に凹凸部が形成されたもの、斜線の直線状に凹凸部が形成されたもの、同心円状に凹凸部が形成されたもの、乳白色や白濁のプラスチックからなるもの、あるいは、いわゆるオパールガラスが挙げられる。このような拡散板を用いることにより、ストロボ光を拡散することができるので、聴衆に対する不快感を低減させることができる。また、ストロボ手段は、首振り機能を備え、この首振り機能によって上下左右方向に首振りをすることにより資料に対してストロボ光を走査するようにしてもよい。
【００２１】
また、この場合、制御手段は、ストロボ手段によりストロボ光が発光されたときに得られた資料の画像において所定の明るさのレベルに達していない領域があるか否かを調べ、所定の明るさのレベルに達していない領域がある場合に照明手段に光を該領域に向けて照射させ、撮像手段は、該領域に光が照射された資料を撮影し、制御手段は、該撮影された資料の撮影画像の画像データおよびストロボ光が発光されたときに得られた画像の画像データを、これら画像データのそれぞれに撮影された資料の同一位置を重ねるようにして互いに合成するのが好適である。
【００２２】
上記態様では、ストロボ手段によりストロボ光が発光されたときに得られた資料の画像データにおいて所定の明るさのレベルに達していない領域がある場合、その領域に光が照射された資料の撮影画像の画像データを、ストロボ手段によりストロボ光が発光されたときに得られた資料の画像データに合成するので、照明手段から照射される光の大きさや範囲に関係なく、より明るさのムラが低減された資料の撮影画像を得ることができる。したがって、撮影画像の画質を低下させることなく、プレゼンテーションにおいて邪魔にならないように更に照明手段の小型化を図ることができる。
【００２３】
また、本発明の第３の資料提示装置では、撮像手段は、ストロボ手段が発光する前に、照明手段により光が照射された資料を撮影し、制御手段は、撮影された資料の撮影画像において所定の明るさのレベルに達していない領域があるか否かを調べるようにしてもよい。その結果、撮影画像に所定の明るさのレベルに達しない領域があるときに、ストロボ手段は資料に対してストロボ光を発光し、撮像手段は該ストロボ光の発光に同期して資料を撮影するようにしてもよい。この場合、ストロボ手段によりストロボ光を発光する際、資料の撮影画像における所定の明るさのレベルに達していない領域に向けてストロボ光を発光するようにしてもよい。また、資料の撮影画像における所定の明るさのレベルに達していない領域の明るさに基づいて、ストロボ光の光量を調整し、調整した光量でストロボ光を発光するようにしてもよい。
【００２４】
本発明の第１〜第３の資料提示装置において、照明手段は、ＬＥＤから構成するようにしてもよい。
【発明の効果】
【００２５】
本発明の第１の資料提示装置によれば、資料に対して光が走査され、照明手段による走査に同期して資料が撮影される。これら撮影された資料の撮影画像の画像データにおける分割された複数の領域のそれぞれについて、複数の撮影画像の画像データのなかから明るさのレベルが所定値以上である画像データが抽出されて互いに合成される。これにより、照明手段から照射される光の大きさや範囲に関係なく、所望の明るさのレベルを有し、かつ明るさのムラが低減された資料の画像を得ることができる等の効果を得ることができる。
【００２６】
本発明の第２の資料提示装置によれば、資料の全体に対して略均一に光が照射され、略均一に光が照射された資料を所定時間内に複数回撮影される。そして、資料の撮影画像の画像データが、撮影画像のそれぞれに撮影された資料の同一位置を重ねるようにして、互いに合成される。これにより、上記第１の資料提示装置と同様な効果を得ることができる。
【００２７】
本発明の第３の資料提示装置によれば、資料に対してストロボ光が発光され、ストロボ手段の発光に同期して資料が撮影される。これにより、上記第２の資料提示装置と同様な効果を得ることができる。
【発明を実施するための最良の形態】
【００２８】
１．第１実施形態
（Ａ）実施形態の構成
以下、本発明の第１実施形態について図面を参照して説明する。図１は、本発明の第１実施形態に係る資料提示装置４が適用されたプレゼンテーションシステムの全体を示す概略図である。図２は、資料提示装置４の概略構成を示す斜視図である。図１において、符号１はスクリーン、２はスクリーン１に画像を投影する液晶プロジェクタ（１，２は表示手段）、３は画像処理を行い、その処理された画像を液晶プロジェクタ２に出力する制御部（制御手段）、４は制御部３を内蔵している資料提示装置を示している。
【００２９】
資料提示装置４は、資料載置台（資料載置手段）４１を備えており、この資料載置台４１は装置の基台となっている。資料載置台４１は、その上面に資料（たとえば、原稿Ｓ）が載置される資料載置面４２を有している。この資料載置台４１は、その一側部にスタンド４３が取り付けられ、このスタンド４３の上端部には、水平方向へ向けてＬ字状に延在するアーム４４が取り付けられている。このアーム４４の先端部は、その水平方向において資料載置面４２のほぼ中央に位置しており、そこには、レンズやＣＣＤカメラなどを備えた撮像部（撮像手段）４５が取り付けられている。撮像部４５は、その視野が資料載置面４２の全体を占めるように光軸の向きおよび倍率が設定される。
【００３０】
また、資料載置台４１にはその両隅部に、スタンド４３を挟むようにしてスタンド４６Ａ，４６Ｂが取り付けられている。スタンド４６Ａ，４６Ｂの上端部には、照明部４７Ａ，４７Ｂが取り付けられている。照明部４７Ａ，４７Ｂは、ＬＥＤから構成され、そこから資料に対して照射される光は、その照射範囲が狭い、たとえば略スポット照明である。照明部４７Ａ，４７Ｂは、電動の駆動機構（図示略）によりスタンド４６Ａ，４６Ｂに対して上下左右方向に首振り自在である。これら照明部４７Ａ，４７Ｂは、上下左右方向に首振りをすることにより、原稿に対して光を走査する。
【００３１】
資料載置台４１の内部には、記憶部（図示略）および上記制御部３が設けられている。記憶部には、撮像部４５で撮影された原稿Ｓの画像の画像データが記憶される。制御部３は、記憶部に記憶された原稿Ｓの撮影画像の画像データのそれぞれについて複数の領域に分割し、分割された領域のそれぞれについて明るさのレベルが所定値以上である画像データを上記撮影画像の画像データから抽出する。そして、制御部３は、抽出された画像データを互いに合成する画像処理を実行する。このような画像処理により得られた原稿Ｓの画像の画像データは、液晶プロジェクタ２に出力され、その画像が液晶プロジェクタ２からスクリーン１に投影される。なお、制御部３は、図１にのみ示している。
【００３２】
（Ｂ）実施形態の動作
次に、図３を参照し、上記構成を有する資料提示装置４の動作について説明する。まず、資料載置面４２に資料（たとえば原稿Ｓ）を載置し、照明部４７Ａ，４７Ｂを点灯する。次に、照明部４７Ａ，４７Ｂは、上下左右方向に首振りをすることにより、照明部４７Ａ，４７Ｂから照射される光の中心は、原稿Ｓ上の左右方向を往復しながら、前方に移動する。この場合、スタンド４３側から見て、照明部４７Ａは原稿Ｓの右半分、照明部４７Ｂは原稿Ｓの左半分に対して光を走査する。このように照明部４７Ａ，４７Ｂにより光を走査している間に、撮像部４５は、原稿Ｓを複数回撮影する（ステップＳ１１）。このとき、記憶部は、撮像部４５により撮影された原稿Ｓの画像を順次記憶する。
【００３３】
制御部３は、記憶部に記憶された原稿Ｓの撮影画像の画像データのそれぞれについて、複数の領域に分割し、分割された領域の明るさのレベルを検出する。そして、制御部３は、分割された領域のそれぞれについて、上記撮影画像の画像データから明るさのレベルが所定値以上である画像データを抽出する（ステップＳ１２）。 この場合、撮影画像の画像データのそれぞれから抽出された領域は、たとえば照明部４７Ａ，４７Ｂからの光が走査された領域である。次いで、制御部３は、抽出された領域の画像データを互いに合成する画像処理を実行する（ステップＳ１３）。これにより、所望の明るさのレベルを有し、かつ明るさのムラが低減された原稿Ｓの画像データが得られる。続いて、制御部３は、画像処理により得られた原稿Ｓの画像データの明るさのレベルを検出し、その画像データにおいて所定の明るさのレベルに達していない領域があるか否かを調べる（ステップＳ１４）。ステップＳ１４において、所定の明るさのレベルに達していない領域が検出されなかった場合、上記制御部３により合成された原稿Ｓの画像データは、液晶プロジェクタ２に出力され、液晶プロジェクタ２によってスクリーン１に投影される。
【００３４】
一方、ステップＳ１４において、所定の明るさのレベルに達していない領域が検出された場合、照明部４７Ａおよび／または４７Ｂの照明方向を該領域に向けて光を照射し（ステップＳ１５）、撮像部４５は、該領域に光が照射された原稿Ｓを撮影する（ステップＳ１６）。制御部３は、このとき撮影された原稿Ｓの撮影画像を補正用画像として用い、上記制御部３により合成された画像を補正する。この場合、制御部３は、たとえば画像データのそれぞれに撮影された原稿Ｓの同一位置を重ねるようにして、上記補正画像を、制御部３により合成された画像の画像データと合成する画像処理を実行する（ステップＳ１７）。これにより、より明るさのムラが低減された原稿Ｓの画像データが得られる。最後に、このように補正用画像と合成された原稿Ｓの画像データは、液晶プロジェクタ２に出力され、液晶プロジェクタ２からスクリーン１に投影される。
【００３５】
このような第１実施形態の資料提示装置４では、照明部４７Ａ，４７Ｂによって原稿Ｓに対して光が走査され、その光の走査に同期して原稿Ｓが撮影される。これら撮影された原稿Ｓの撮影画像の画像データの分割された複数の領域のそれぞれについて、複数の撮影画像の画像データのなかから明るさのレベルが所定値以上である画像データが抽出されて互いに合成される。これにより、照明部４７Ａ，４７Ｂから照射される光の大きさや範囲に関係なく、所望の明るさのレベルを有し、かつ明るさのムラが低減された原稿Ｓの画像を得ることができる。したがって、撮影画像の画質を低下させることなく、プレゼンテーションにおいて、たとえば資料交換を行うときや、資料に対してペン等を用いて指示を行うときに邪魔にならないように照明部４７Ａ，４７Ｂの小型化を図ることができる。
【００３６】
また、制御部３により合成された画像データにおいて所定の明るさのレベルに達していない領域がある場合、その領域に光が照射された原稿Ｓの撮影画像の画像データを、制御部３により合成された画像データに合成するので、照明部４７Ａ，４７Ｂから照射される光の大きさや範囲に関係なく、より明るさのムラが低減された資料の撮影画像を得ることができる。したがって、撮影画像の画質を低下させることなく、プレゼンテーションにおいて邪魔にならないように更に照明部４７Ａ，４７Ｂの小型化を図ることができる。
【００３７】
なお、第１実施形態では、照明部４７Ａ，４７Ｂは、上下左右方向に首振りをすることにより原稿Ｓに対して光を走査するようにしたが、これに限定されるものではない。たとえば、照明部４７Ａ，４７Ｂは複数の光源を備え、これら光源から光を順次発光させることにより原稿Ｓに対して光を走査するようにしてもよい。
【００３８】
２．第２実施形態
図４を参照して本発明の第２実施形態について説明する。なお、以下の実施形態では、上記第１実施形態と同様な構成要素には同符号を付してその説明を省略する。第１実施形態では、照明部４７Ａ，４７Ｂの光の照明範囲を狭くし、この光を原稿Ｓに対して走査するようにしたが、第２実施形態では、照明部４７Ａ，４７Ｂの光の照明範囲を拡くして、この光を原稿Ｓの全体に対して略均一に照射する。
【００３９】
まず、資料載置面４２に原稿Ｓを載置し、照明部４７Ａ，４７Ｂを点灯することにより、原稿Ｓに対して光を略均一に照射し、撮像部４５で所定時間内に原稿Ｓを繰り返し撮影する（ステップＳ２１）。制御部３は、撮像部４５による原稿Ｓの撮影が終了した後、撮影された原稿Ｓの同一位置を重ねるようにして、記憶部に記憶された複数の撮影画像の画像データを互いに合成する画像処理を実行する（ステップＳ２２）。これにより、所望の明るさのレベルを有し、かつ明るさのムラが低減された原稿Ｓの画像データが得られる。続いて、ステップＳ２３以降、第１実施形態と同様な操作（ステップＳ１４以降）を行うことにより、第１実施形態と同様な作用および効果を得ることができる。
【００４０】
３．第３実施形態
図５および図６を参照して、本発明の第３実施形態について説明する。図５は、第３実施形態に係る資料提示装置５の概略構成を示す斜視図である。資料提示装置５は、第２実施形態の資料提示装置５の照明部４７Ａ，４７Ｂの上面に、ストロボ光を発光するストロボ部５１Ａ，５１Ｂを取り付けたものである。ストロボ部５１Ａ，５１Ｂは、間欠的に小さな光量でストロボ光を発光するものである。
【００４１】
まず、資料載置面４２に原稿Ｓを載置し、照明部４７Ａ，４７Ｂを点灯することにより、原稿Ｓの全体に対して略均一に光を照射する（ステップＳ３１）。次に、ストロボ部５１Ａおよび／または５１Ｂは、原稿Ｓに対して小さな光量でストロボ光を発光し、ストロボ光の発光と同時に撮像部４５は、原稿Ｓを撮影する（ステップＳ３２）。次に、制御部３は、撮影された原稿Ｓの同一位置を重ねるようにして、このとき撮影された原稿Ｓの撮影画像の画像データを、この撮影画像の直前に撮影された原稿Ｓの撮影画像の画像データに合成する（ステップＳ３３）。
【００４２】
続いて、制御部３は、原稿Ｓの撮影画像の画像データにおける所定の箇所の明るさのレベルを検出し、検出された明るさのレベルが所定値以上であるか否かを判定する（ステップＳ３４）。ステップＳ３４において、検出された明るさのレベルが所定値以上であった場合、ストロボ部５１Ａ，５１Ｂの発光を停止して、ステップＳ３５に進む。この場合、上記所定箇所は、撮像部４５により撮影された撮影画像の画像データの中心部分における複数の画素から構成され、制御部３は、これら画素の画像データの明るさのレベルを平均することにより、所定箇所の明るさのレベルを検出する。
【００４３】
一方、ステップＳ３４において、検出された明るさのレベルが所定値未満であった場合、ステップＳ３２に戻り、ストロボ部５１Ａおよび／または５１Ｂは、原稿Ｓに対して上記と同様な光量でストロボ光を発光し、ストロボ光の発光と同時に撮像部４５は、原稿Ｓを撮影する。制御部３は、撮影された原稿Ｓの同一位置を重ねるようにして、このとき撮影された原稿Ｓの撮影画像の画像データを、その直前に合成された原稿Ｓの合成画像の画像データに合成する（ステップＳ３３）。そして、ステップＳ３４に進み、上記所定箇所の明るさのレベルが所定値以上となるまでステップＳ３２〜Ｓ３４の動作を繰り返す。これにより、所望の明るさのレベルを有し、かつ明るさのムラが低減された原稿Ｓの画像データが得られる。
【００４４】
続いて、ステップＳ３５以降、第１実施形態と同様な操作（ステップＳ２３以降）を行うことにより、第２実施形態と同様な作用および効果を得ることができる。加えて、第３実施形態では、ストロボ部５１Ａおよび／または５１Ｂを用いて、ストロボ光を小さな光量で複数回に分けて発光するようにしたので、聴衆に対する不快感を抑えることができる。
【００４５】
なお、第３実施形態では、ストロボ部５１Ａ，５１Ｂを用いて小さな光量で間欠的に発光するようにしたが、たとえば所定の光量で１回だけ発光し、同時に撮像部４５で原稿Ｓを撮影するようにしてもよい。この場合は、撮像部４５により原稿Ｓを撮影した後、ステップＳ３４以降の操作を行う。
【００４６】
５．第４実施形態
図７を参照して、本発明の第４実施形態について説明する。第４実施形態では、第３実施形態の資料提示装置５を用いる。この場合のストロボ部５１Ａ，５１Ｂは、その向きを原稿Ｓの任意の箇所に向けて、ストロボ光を発光することが可能なものである。
【００４７】
まず、資料載置面４２に原稿Ｓを載置し、照明部４７Ａ，４７Ｂを点灯することにより、原稿Ｓの全体に対して略均一に光を照射する（ステップＳ４１）。次に、撮像部４５は、原稿Ｓの全体に対して略均一に光を照射された原稿Ｓを撮影する（ステップＳ４２）。続いて、撮影された原稿Ｓの画像データの明るさのレベルを検出し、その画像データにおいて明るさのレベルが所定値に達していない領域があるか否かを調べる（ステップＳ４３）。ステップＳ４３において、所定の明るさのレベルに達していない領域が検出されなかった場合、原稿Ｓの画像データは、液晶プロジェクタ２に出力され、その画像が液晶プロジェクタ２によってスクリーン１に投影される。
【００４８】
一方、ステップＳ４３において、所定の明るさのレベルに達していない領域が検出された場合、ストロボ部５１Ａ，５１Ｂによってストロボ光を発光し、同時に撮像部４５で原稿Ｓを撮影する（ステップＳ４４）。これにより、所望の明るさのレベルを有し、かつ明るさのムラが低減された原稿Ｓの画像データが得られる。この場合、ストロボ部５１Ａ，５１Ｂの向きおよび／または光量を調整してストロボ光を発光するようにしてもよい。ストロボ部５１Ａ，５１Ｂの向きを調整する場合、例えば上記領域に向けてストロボ光を発光する。ストロボ部５１Ａ，５１Ｂの光量を調整する場合、その光量は、上記領域の明るさのレベルに基づいて決定する。続いて、ストロボ光の発光と同時に撮影された原稿Ｓの画像データは、液晶プロジェクタ２に出力され、液晶プロジェクタ２によってスクリーン１に投影される。これにより、第３実施形態と同様な作用・効果を得ることができる。
【００４９】
４．変形例
以上、第１〜第４実施形態を挙げて本発明を説明したが、本発明はこれら実施形態に限定されるものではなく、種々の変形が可能である。たとえば第１〜第４実施形態では、照明手段として照明部４７Ａおよび４７Ｂを用いるようにしたが、照明手段の数や取り付け位置等はこれに限定されない。上記実施形態では、照明手段として照明部４７Ａおよび４７Ｂを備えるようにしたが、たとえば、これら照明部４７Ａおよび４７Ｂのいずれか１つを備えるようにし、それで原稿Ｓに対して光を照射するようにしてもよい。
【００５０】
さらに、第３および第４実施形態では、たとえばストロボ手段としてストロボ部５１Ａ，５１Ｂを用いるようにしたが、ストロボ手段の数や取り付け位置等はこれに限定されない。上記実施形態では、ストロボ部５１Ａ，５１Ｂを備えるようにしたが、たとえば、これらストロボ部５１Ａ，５１Ｂのうちのいずれか１つを備えるようにしてもよい。加えて、上記実施形態では、ストロボ部５１Ａ，５１Ｂを照明部４７Ａ，４７Ｂの上に設けるようにしたが、たとえば、ストロボ部５１Ａ，５１Ｂを照明部４７Ａ，４７Ｂとは単独に設けるようにしてもよい。
【００５１】
また、上記実施形態では、ストロボ部５１Ａ，５１Ｂは、たとえばスリガラス状の拡散部を備えるようにしてもよい。たとえば、図８に示すストロボ部５１Ｃのように、傘型の反射部５２と、この反射部５２の開端部を閉じるようにして設けられ、スリガラス状の拡散板からなる拡散部５３とを備えるようにしてもよい。この場合、拡散部５３の上面にはストロボ光源５４が設けられ、このストロボ光源５４は反射部５２の内部に位置するように取り付けられる。このようなストロボ部５１Ｃでは、ストロボ光源５４から発光されたストロボ光が反射部５２により反射され、その反射光がスリガラス状の拡散部５３を通して拡散させられることにより、資料載置面４２の全体に対して均等にストロボ光を照射することができて聴衆に与える不快感を抑えることができる。
【００５２】
拡散部５３として用いられる拡散板としては、上記スリガラス状のものに加えて、縦および／または横の直線状に凹凸部が形成されたものや、斜線の直線状に凹凸部が形成されたもの、同心円状に凹凸部が形成されたもの、乳白色や白濁のプラスチックからなるもの、いわゆるオパールガラス等が挙げられる。
【図面の簡単な説明】
【００５３】
【図１】本発明の第１実施形態に係る資料提示装置が適用されたプレゼンテーションシステムの概略図である。
【図２】本発明の第１実施形態に係る資料提示装置の斜視図である。
【図３】本発明の第１実施形態に係る資料提示装置の動作を示すフローチャートである。
【図４】本発明の第２実施形態に係る資料提示装置の動作を示すフローチャートである。
【図５】本発明の第３実施形態に係る資料提示装置の斜視図である。
【図６】本発明の第３実施形態に係る資料提示装置の動作を示すフローチャートである。
【図７】本発明の第４実施形態に係る資料提示装置の動作を示すフローチャートである。
【図８】本発明の第３および第４実施形態に係る資料提示装置に設けられたストロボ部の変形例を示す概略拡大図である。
【符号の説明】
【００５４】
１…スクリーン、２…液晶プロジェクタ、３…制御部（制御手段）、４，５…資料提示装置、４１…資料載置台（資料載置手段）、４２…資料載置面、４５…撮像部（撮像手段）、４７Ａ，４７Ｂ…照明部（照明手段）、５１Ａ，５１Ｂ，５１Ｃ…ストロボ部（ストロボ手段）、５３…拡散部（拡散板）、Ｓ…原稿
【図１】
2005176093.tif 000003
【図２】
2005176093.tif 000004
【図３】
2005176093.tif 000005
【図４】
2005176093.tif 000006
【図５】
2005176093.tif 000007
【図６】
2005176093.tif 000008
【図７】
2005176093.tif 000009
【図８】
2005176093.tif 000010